(57)【要約】【課題】複数ユーザの個人情報を独立して管理する。【解決手段】複数ユーザのユーザデータ１９と各ユーザが設定した暗証番号が記述された管理情報２１を記録部１７内に記憶しておき、ＣＰＵ１５は、管理情報２１を参照して、操作入力部３を操作してユーザが入力した暗証番号に対応するユーザデータ１９を記録部１７から読み出し、読み出したユーザデータ１９を表示部２に表示する。これにより、１台の携帯通信端末を複数のユーザで共有する場合であっても、複数ユーザのユーザデータを独立して保持、管理することができる。【選択図】　図２
2004040595.tif 000002
【特許請求の範囲】
【請求項１】
複数ユーザの個人情報を記憶する個人情報記憶部と、
各ユーザが設定した認証情報を対応するユーザの個人情報と関連付けして記憶する認証情報記憶部と、
上記認証情報を入力する入力部と、
上記認証情報記憶部を参照して、上記入力部から入力された認証情報と関連付けされている個人情報を上記個人情報記憶部から読み出し、表示する制御部と
を備える携帯通信端末。
【請求項２】
請求項１に記載の携帯通信端末であって、
上記認証情報記憶部は、上記個人情報記憶部内に記憶された個人情報に対するアクセスをユーザ毎に制御する制御情報を記憶し、
上記制御部は、上記制御情報を参照して、各ユーザの上記個人情報に対するアクセスを制御すること
を特徴とする携帯通信端末。
【請求項３】
請求項１に記載の携帯通信端末であって、
上記制御部は、所定の認証情報が入力された場合、上記個人情報記憶部内に記憶された全ての個人情報を読み出し、表示すること
を特徴とする携帯通信端末。
【発明の詳細な説明】
【０００１】
【発明の属する技術分野】
本発明は、１台の携帯通信端末を複数のユーザで共有する処理に適用して好適な、携帯通信端末に関する。
【０００２】
【従来の技術】
現在市販されている携帯通信端末では、ユーザは、個人情報を読み出す際に暗証番号の入力が必要な情報と必要でない情報とに分類することにより、携帯通信端末内に記憶されている個人情報を自身で管理することができる。
【０００３】
【発明が解決しようとする課題】
しかしながら、現在の携帯通信端末は、基本的に一人のユーザにより所有されることを前提として設計されているために、複数ユーザの個人情報を一台の携帯通信端末内で管理することができない。このような背景から、例えば会社内や家族内等、複数のユーザ間で１台の携帯通信端末を共有する場合には、各ユーザは、必要に応じて、自身の個人情報をその都度入力、消去しなければならず、非常に使い勝手が悪い。
【０００４】
本発明はこのような課題に鑑みてなされたものであり、その目的は、複数のユーザの個人情報を独立して管理することが可能な携帯通信端末を提供することにある。
【０００５】
【課題を解決するための手段】
本発明に係る携帯通信端末の特徴は、複数ユーザの個人情報を記憶し、各ユーザが設定した認証情報を対応するユーザの個人情報と関連付けして記憶し、入力された認証情報と関連付けされている個人情報を読み出し、表示することにある。すなわち、本発明に係る携帯通信端末は、ユーザ毎に設定された認証情報によって各ユーザの個人情報を管理するので、１台の携帯通信端末を複数のユーザで共有する場合であっても、複数ユーザの個人情報を独立して保持、管理することができる。
【０００６】
【発明の実施の形態】
以下、図面を参照して、本発明の好ましい実施の形態について詳しく説明する。
【０００７】
［携帯通信端末の概観］
始めに、図１を参照して、本発明の実施の形態となる携帯通信端末の概観の構成について説明する。
【０００８】
本発明の実施の形態となる携帯通信端末１は、図１に示すように、主な構成要素として、表示部２、操作入力部３、受話口４、及び送話口５を備える。
【０００９】
上記表示部２は、ＬＣＤ（Ｌｉｑｕｉｄ　Ｃｒｙｓｔａｌ　Ｄｉｓｐｌａｙ）やＥＬ（ＥｌｅｃｔｒｏＬｕｍｉｎｅｓｃｅｎｃｅ）パネル等の表示装置により構成され、後述するＣＰＵ（Ｃｅｎｔｒａｌ　Ｐｒｏｃｅｓｓｉｎｇ　Ｕｎｉｔ，図２を参照）１５の制御に従って、文字、数字、記号、アイコン、カーソル、画像、動画像等を可視表示する。
【００１０】
上記操作入力部３は、例えば「０」から「９」までの数字の入力、仮名文字の入力、アルファベット文字の入力、記号の入力、発信や受信の指示入力、電源のオン／オフの指示入力等の操作に使用される、複数のキーボタン６を有する。また、この操作入力部３は、表示部２上に表示されたカーソルの移動操作や画面のスクロール操作等の操作に使用するダイアル（ジョグダイアル）７を有する。
【００１１】
上記操作入力部３を操作することにより、ユーザは、例えば、電話番号の入力やその登録、電子メールの入力、電子メールアドレスの入力やその登録、住所録の入力やその登録、スケジュールの入力やその登録、ユーザプロフィールの入力やその登録等、種々の情報の入力及び登録操作を行うことができる。
【００１２】
上記受話口４及び送話口５はそれぞれ、後述するスピーカ及びマイクロフォン（図２を参照）に接続されており、ユーザが通話相手先と音声通話を行う際に使用される。
【００１３】
［携帯通信端末の内部構成及びその基本動作］
次に、図２を参照して、上記携帯通信端末１の内部構成及びその基本動作について説明する。なお、表示部２及び操作入力部３の構成及び動作は上述の通りであるので、以下ではその説明を省略する。
【００１４】
図２に示す携帯通信端末１において、送話口５（図１参照）に接続されているマイクロフォン８は、ユーザの通話音声等をアナログ音声信号に変換する。そして、アナログ音声信号は、図示しない増幅器により増幅された後、ＤＳＰ（Ｄｉｇｉｔａｌ　Ｓｉｇｉｎａｌ　Ｐｒｏｃｅｓｓｏｒ）９に入力される。
【００１５】
ＤＳＰ９は、アナログ音声信号が入力されると、アナログ音声信号を所定のサンプリングレートでアナログ／デジタル（Ａ／Ｄ）変換する。そして、ＤＳＰ９は、Ａ／Ｄ変換により得られたデジタル音声データに対し、トランスポートブロック（ＴＢ）毎にＣＲＣ（Ｃｙｃｌｉｃ　Ｒｅｄｕｎｄａｎｃｙ　Ｃｈｅｃｋ）符号を付加し、チャネル符号化（誤り訂正符合化）及びインターリーブ処理を施す。なお、上記トランスポートブロックとは、物理レイヤが処理を行うデータの基本単位（ＭＡＣ（Ｍｅｄｉａ　Ａｃｃｅｓｓ　Ｃｏｎｔｒｏｌ）レイヤから物理レイヤにデータが転送される単位）を示す。
【００１６】
また、ＤＳＰ９は、上記インターリーブ処理後のビット系列に対し、チャネル確定のためのパイロットビット等のオーバーヘッドを付加した後にデータ変調処理を行い、データ変調マッピングされた位相平面上の同相（Ｉｎ−Ｐｈａｓｅ）及び直交（Ｑｕａｄｒａｔｕｒｅ）成分をそれぞれ２階層の拡散符号系列で拡散する。そして、ＤＳＰ９は、拡散後のチップデータ系列を自乗余弦ルートナイキストフィルタで所定帯域（５ＭＨｚ）に帯域制限した後にデジタル／アナログ（Ｄ／Ａ）変換によりアナログ信号に変換し、アナログ信号を送信部１０に入力する。
【００１７】
送信部１０は、ＤＳＰ９からアナログ信号が入力されると、アナログ信号を直交復調し、直交復調された中間周波数信号を高周波信号（２ＧＨｚ帯のＲＦ信号）に周波数変換する。そして、送信部１０は、この高周波信号を増幅し、増幅後の高周波信号を送信信号としてデュプレクサ１１に出力する。
【００１８】
デュプレクサ１１は、アンテナ共用器である。すなわち、デュプレクサ１１は、送信信号と受信信号とで１本のアンテナ１２を共用し、アンテナ１２からの受信信号を受信部１３に送り、且つ、送信部１０からの送信信号をアンテナ１２へ送出する機能を備えたフィルタ回路により構成される。
【００１９】
受信部１３は、アンテナ１２及びデュプレクサ１１を介して供給された高周波の受信信号を増幅し、増幅した受信信号を中間周波数の信号に周波数変換する。そして、受信部１３は、自動利得制御により中間周波数の信号を線形増幅し、線形増幅した中間周波数の信号をＤＳＰ９に入力する。このときＤＳＰ９は、受信部１３からの信号を直交検波（Ｑｕａｒｄｒａｔｕｒｅ　Ｄｅｔｅｃｔｉｏｎ）し、直交検波による同相及び直交成分のアナログ信号を所定のサンプリングレートでＡ／Ｄ変換する。そして、ＤＳＰ９は、Ａ／Ｄ変換によりデジタル値に変換された同相及び直交成分を、自乗余弦ルートナイキストフィルタで帯域制限した後に受信信号の拡散符号と同一の拡散符号により逆拡散することにより、伝搬遅延時間が異なる複数のマルチパス成分に時間分離する。
【００２０】
また、ＤＳＰ９は、時間分離した各パスのデータをコヒーレントレイク合成し、コヒーレントレイク合成後のデータ系列をデインターリーブ及びチャネル復号した後、２値のデータ判定を行って相手先の端末が送信してきたデータ系列を再生する。そして、ＤＳＰ９は、再生したデータ系列を音声データとその他の通信データに弁別する。
【００２１】
音声データは、ＤＳＰ９によりＤ／Ａ変換され、さらに図示しない増幅器により増幅された後、受話口４（図１参照）に内蔵されているスピーカ１４へ送られる。スピーカ１４は、増幅されたアナログ音声信号により駆動される。これにより、通話相手先の端末からの通話音声がスピーカ１４から放音されることになる。
【００２２】
また、ＤＳＰ９は、上記通信データがどのようなデータであるのかを解析し、その解析結果に応じた処理を行う。例えば上記通信データがテキストデータである場合、ＤＳＰ９はテキストデータをＣＰＵ１５に送り、ＣＰＵ１５は表示部２上にテキストデータを表示制御する。また、例えば通信データが圧縮された画像データである場合、ＤＳＰ９は圧縮画像データを伸張した後にＣＰＵ１５に送り、ＣＰＵ１５は表示部２上に画像データを表示制御する。また、例えば通信データが圧縮された音声データである場合、ＤＳＰ９は、圧縮音声データを伸張し、スピーカ１６又はスピーカ１４に音声データを出力する。
【００２３】
上記記録部１７は、フラッシュメモリ等の記憶保持動作が不要な書き換え可能なメモリにより構成される。この記録部１７は、アドレス帳機能、スケジュール帳機能、ユーザプロフィール登録機能、電子メール送受信機能、データ・ダウンロード／アップロード機能、着信／発信表示機能、電話料金表示機能等、機能毎に用意された複数のアプリケーションプログラム１８、及びアドレス帳データ、スケジュールデータ、プロフィールデータ、送受信した電子メール、ダウンロード／アップロードしたデータ、着信／発信履歴、電話料金等、アプリケーションプログラム１８の機能に対応したユーザデータ１９（詳しくは後述する）を格納する。また、この記録部１７は、ユーザデータ１９へのアクセスを管理する際にＣＰＵ１５が実行、利用するユーザデータ管理プログラム２０及び管理情報２１（詳しくは後述する）を格納する。さらに、この記録部１７は、携帯通信端末の各種設定値のうち、ユーザが任意に設定可能な値を含む設定データ２２を格納する。
【００２４】
ＲＯＭ（Ｒｅａｄ　Ｏｎｌｙ　Ｍｅｍｏｒｙ）２３は、ＣＰＵ１５が各部を制御するための制御プログラム（図示せず）等の各種コンピュータプログラムと、各種の初期設定値、フォントデータを記憶する。なお、このＲＯＭ２３は、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）のような書き換え可能なＲＯＭであってもよい。
【００２５】
ＲＡＭ（Ｒａｎｄｏｍ　Ａｃｃｅｓｓ　Ｍｅｍｏｒｙ）２４は、ＣＰＵ１５が各種処理を行う際のワークエリアとして機能し、随時データを格納する。ＣＰＵ１５は、記録部１７やＲＯＭ２３内に格納されているコンピュータプログラムを実行することにより、コンピュータプログラムに従って携帯通信端末１内の各部の動作を制御すると共に、各種の演算処理を行う。
【００２６】
カメラ部２５は、ＣＣＤ（Ｃｈａｒｇｅ　Ｃｏｕｐｌｅｄ　Ｄｅｖｉｃｅ）イメージセンサやＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサ等の撮像素子と、撮像素子上に被写体等の光像を結像させる光学系とを備えたものである。カメラ部２５における撮影の指示は、操作入力部３上の所定のキーをレリーズボタンとして使用することで実現することができる。また、カメラ部２６により撮影した画像データはＤＳＰ９に入力する。
【００２７】
なお、カメラ部２５から画像データを受け取ったＤＳＰ９は、その画像データをＣＰＵ１５に送り、ＣＰＵ１５は画像データに基づく画像を表示部２上に表示制御する。また、ＤＳＰ９は、必要に応じて画像データを圧縮し、圧縮後の画像データを送信データとして送信部１０に送ることもできる。また、圧縮後の画像データは、ＣＰＵ１５を解して記録部１７に記録することもできる。
【００２８】
近距離無線通信部２６とそのアンテナ２７は、いわゆるブルートゥース（Ｂｌｕｅｔｏｏｔｈ）方式の無線通信を行うためのものである。なお、ブルートゥース方式は、複数の電子機器間における無線ネットワーキングを実現するための方式である。このブルートゥース方式は、Ｂｌｕｅｔｏｏｔｈ　ＳＩＧ（Ｓｐｅｃｉａｌ　Ｉｎｔｅｒｅｓｔ　Ｇｒｏｕｐ）において策定されたものであり、詳細は、”Ｂｌｕｅｔｏｏｔｈ（ＴＭ）　Ｓｐｅｃｉａｌ　Ｉｎｔｅｒｅｓｔ　Ｇｒｏｕｐ，　Ｂｌｕｅｔｏｏｔｈ仕様書バージョン１．０”に開示されている。
【００２９】
［管理情報の構成］
上記管理情報２１は、図３に示すように、ユーザが自身で設定した暗証番号、ユーザに割り当てられたアクセスキーと認証レベルが記述されたテーブル形式のデータから成り、アクセスキーと認証レベルは携帯通信端末１の管理責任者によりユーザ毎に付与される。アクセスキー及び認証レベルは共に、ユーザデータ１９へのアクセスの可否を示す情報であり、この実施の形態においては、「０」はユーザデータ１９へのアクセスが不可であること、「１」はユーザデータ１９へのアクセスが可であることを示している。そして、詳しくは後述するが、ＣＰＵ１５は、ユーザに付与されたアクセスキー及び認証レベルと、ユーザデータ１９に設定されたアクセスキー及び認証レベルとを比較することにより、ユーザデータ１９へのアクセスをユーザ毎に制御する。
【００３０】
なお、この実施の形態においては、アクセスキーと認証レベルは「０」と「１」の２種類の情報により表現したが、アクセスキーと認証レベルを３種類以上の情報を用いて表現してもよい。このようにアクセスキーと認証レベルを３種類以上の情報を用いて表現することにより、例えば読取不可、読取可／書き込み不可、読取可／書き換え可等の複数のレベルでユーザデータ１９へのアクセスを制御することが可能となる。
【００３１】
また、携帯通信端末１の管理責任者は、全てのユーザのユーザデータ１９にアクセス可能なように自身のアクセスキーと認証レベルを設定する。これにより、管理責任者は、携帯通信端末の起動時に自身の暗証番号を入力することにより、携帯通信端末１内に登録されている全てのユーザのユーザデータ１９を閲覧、変更、削除することが可能となる。
【００３２】
［ユーザデータの構成］
上記ユーザデータ１９は、図４（ａ）に示すように、携帯通信端末１を共有するユーザ毎に分類されて記録部１７内に格納され、各ユーザのユーザデータ１９ａ〜１９ｃは上記管理情報２１内の各暗証番号と関連付けされている。また、各ユーザのユーザデータ１９ａ〜１９ｃには、図４（ｂ）に示すように、ユーザデータを構成するデータブロック毎にアクセスキー及び認証レベルが設定されている。ここで、上記データブロックとは、例えばユーザデータ１９がアドレス帳データであればアドレス帳データ内に登録されている一個人のアドレスデータ（名前、電話番号、住所等）のように、ユーザデータ１９を構成するデータ単位を示す。
【００３３】
［携帯通信端末の動作］
上記構成を有する携帯通信端末１は、以下に示すように動作して、記録部１７内に格納されているユーザデータ１９に対するユーザのアクセスを制御し、複数のユーザによる共有を可能にしている。以下、図５及び図６に示すフローチャートを参照して、上記アクセスを制御する際の上記携帯通信端末１の動作について説明する。
【００３４】
〔起動処理〕
始めに、図５に示すフローチャートを参照して、ユーザが利用のために携帯通信端末を起動する際の携帯通信端末の動作について説明する。
【００３５】
図５に示すフローチャートは、ユーザが携帯通信端末１の電源をオンするに応じて開始となり、この起動処理はステップＳ１の処理に進む。
【００３６】
ステップＳ１の処理では、ＣＰＵ１５が、ユーザデータ管理プログラム２０をＲＯＭ２３からＲＡＭ２４にロードする。そして、ＣＰＵ１５は、ユーザデータ管理プログラム２０に従って、ユーザに暗証番号の入力を促すメッセージ又はダイアログ画面を表示出力するように表示部２を制御する。これにより、このステップＳ１の処理は完了し、この起動処理はステップＳ１の処理からステップＳ２の処理に進む。
【００３７】
ステップＳ２の処理では、ユーザが操作入力部３を操作して暗証番号を入力するに応じて、ＣＰＵ１５が、入力された暗証番号が管理情報２１内に登録されているか否かを判別することによりユーザの認証を行う。なお、この実施の形態においては、ユーザは操作入力部３を操作して暗証番号を入力したが、暗証番号が記録された記録媒体を携帯通信端末１に接続若しくは挿入し、ＣＰＵ１５が、接続若しくは挿入された記録媒体から暗証番号を読み出してもよい。
【００３８】
そして、ステップＳ２の認証処理の結果、入力された暗証番号が管理情報２１内に登録されていない場合、ステップＳ３の処理として、ＣＰＵ１５は、例えば「入力された暗証番号は登録されていません。暗証番号を登録してください。」等、認証が失敗した旨を示すメッセージ又はダイアログ画面を表示するエラー処理を実行し、起動処理を中止する。なお、この実施の形態においては、暗証番号が管理情報２１に登録されていない場合には、携帯通信端末は起動処理を中止するようにしたが、例えば使用可能な機能を制限した状態で携帯通信端末を起動できるようにしてもよい。
【００３９】
一方、ステップＳ２の認証処理の結果、入力された暗証番号が管理情報２１内に登録されている場合には、ＣＰＵ１５はこの起動処理をステップＳ２の処理からステップＳ４の処理に進める。そして、ステップＳ４の処理では、ＣＰＵ１５は、管理情報２１を参照して、入力された暗証番号に対応するアクセスキーと認証レベルをＲＡＭ２４内に読み出す。これにより、このステップＳ４の処理は完了し、一連の起動処理は終了する。
【００４０】
〔ユーザデータへのアクセス制御処理〕
次に、図６に示すフローチャートを参照して、ユーザがユーザデータ１９内に含まれるアドレス帳データにアクセスする際の携帯通信端末の動作について説明する。なお、この実施の形態においては、アドレス帳データに対するアクセス制御処理を行う際の携帯通信端末の動作について説明するが、携帯通信端末は、ユーザデータ１９を構成する、スケジュールデータ、プロフィールデータ、送受信した電子メール、ダウンロード／アップロードしたデータ、着信／発信履歴、電話料金等のデータへのアクセス制御処理を同様の方法で行うことができる。
【００４１】
図６に示すフローチャートは、ユーザが操作入力部３を操作してアドレス帳機能に対応するアプリケーションプログラム１８を起動することで開始となり、このアクセス制御処理はステップＳ１１に進む。
【００４２】
ステップＳ１１の処理では、ＣＰＵ１５が、起動処理の際にＲＡＭ２４内に読み出した、現在のユーザのアクセスキーと認証レベルを取得する。これにより、このステップＳ１１の処理は完了し、このアクセス制御処理はステップＳ１１の処理からステップＳ１２の処理に進む。
【００４３】
ステップＳ１２の処理では、ＣＰＵ１５が、記録部１７からＲＡＭ２４内にアドレス帳データのデータブロックを一つ読み出す。これにより、このステップＳ１２の処理は完了し、このアクセス制御処理はステップＳ１２の処理からステップＳ１３の処理に進む。
【００４４】
ステップＳ１３の処理では、ＣＰＵ１５が、データブロックに設定されている認証レベルとユーザの認証レベルとを比較する。これにより、このステップＳ１３の処理は完了し、このアクセス制御処理はステップＳ１３の処理からステップＳ１４の処理に進む。
【００４５】
ステップＳ１４の処理では、ＣＰＵ１５が、データブロックに設定されている認証レベルとユーザの認証レベルとが一致するか否かを判別することにより、読み出したデータブロックにユーザがアクセス可能であるか否かを判定する。そして、アクセス可能でない場合には、ＣＰＵ１５はこのアクセス制御処理をステップＳ１４の処理からステップＳ１７の処理に進める。一方、アクセス可能である場合には、ＣＰＵ１５はこのアクセス制御処理をステップＳ１４の処理からステップＳ１５の処理に進める。
【００４６】
ステップＳ１５の処理では、ＣＰＵ１５が、データブロックに設定されているアクセスキーとユーザのアクセスキーとを比較する。これにより、このステップＳ１５の処理は完了し、このアクセス制御処理はステップＳ１５の処理からステップＳ１６の処理に進む。
【００４７】
ステップＳ１６の処理では、ＣＰＵ１５が、データブロックに設定されているアクセスキーとユーザのアクセスキーとが一致するか否かを判別することにより、読み出したデータブロックにユーザがアクセス可能であるか否かを判定する。そして、アクセス可能でない場合には、ＣＰＵ１５はこのアクセス制御処理をステップＳ１６の処理からステップＳ１７の処理に進める。一方、アクセス可能である場合には、ＣＰＵ１５はこのアクセス制御処理をステップＳ１６の処理からステップＳ１８の処理に進める。
【００４８】
ステップＳ１７の処理では、ＣＰＵ１５が、ＲＡＭ２４内に読み出したデータブロックを消去する。これにより、このステップＳ１７の処理は完了し、このアクセス制御処理はステップＳ１７の処理からステップＳ１８の処理に進む。
【００４９】
ステップＳ１８の処理では、ＣＰＵ１５が、アドレス帳データ内に未処理のデータブロックがあるか否かを判別する。そして、判別の結果、未処理のデータブロックがある場合、ＣＰＵ１５はこのアクセス制御処理をステップＳ１８の処理からステップ１２の処理に戻す。一方、未処理のデータブロックがない場合には、ＣＰＵ１５はこのアクセス制御処理をステップＳ１８の処理からステップＳ１９の処理に進める。
【００５０】
ステップＳ１９の処理では、ＣＰＵ１５が、ＲＡＭ２４内にデータブロックが格納されているか否かを判別する。そして、判別の結果、ＲＡＭ２４内にデータブロックが格納されていない場合、ＣＰＵ１５はこのアクセス制御処理をステップＳ１９の処理からステップＳ２０の処理に進める。一方、ＲＡＭ２４内にデータブロックが格納されている場合には、ＣＰＵ１５はこのアクセス制御処理をステップＳ１９の処理からステップＳ２１の処理に進める。
【００５１】
ステップＳ２０の処理では、ＣＰＵ１５が、例えば「表示可能なアドレス帳データはありません」等、アクセス可能なデータブロックがない旨を示すメッセージ又はダイアログ画面を表示するエラー処理を実行する。これにより、このステップＳ２０の処理は完了し、一連のアクセス制御処理は終了する。
【００５２】
ステップＳ２１の処理では、ＣＰＵ１５が、表示部２を制御して、ＲＡＭ２４内に格納されているデータブロックをアドレス帳データとして表示する。これにより、このステップＳ２１の処理は完了し、一連のアクセス制御処理は終了する。
【００５３】
なお、上記実施の形態においては、記録部１７からＲＡＭ２４内への読み出し処理と、認証レベル及びアクセスキーの判定処理とを、アドレス帳データを構成するデータブロック単位で行うこととしたが、各ユーザのアドレス帳データを一つのデータブロックとして上記処理を行うようにしてもよい。また、記録部１７からＲＡＭ２４内への読み出し処理は、認証レベル及びアクセスキーの判定処理を行った後に実行するようにしてもよい。
【００５４】
［実施の形態の効果］
以上の説明から明らかなように、この実施の形態となる携帯通信端末によれば、ユーザ毎に設定された暗証番号により各ユーザのユーザデータを管理するので、１台の携帯通信端末を複数のユーザで共有する場合であっても、複数ユーザのユーザデータを独立して保持、管理することができる。
【００５５】
また、この実施の形態となる携帯通信端末によれば、暗証番号によるアクセス制御以外に、各ユーザに付与されたアクセスキー及び認証レベルと各ユーザデータに設定されたアクセスキー及び認証レベルとを比較することによりユーザデータへのアクセス制御するので、ユーザデータへのアクセスを複数のレベルに分けて制御することができる。特に、特定のアクセスキー及び認証レベルを付与されたユーザは、全てユーザのユーザデータにアクセスすることが可能な権限が与えられるようになっているので、携帯通信端末の保守を容易に行うことができる。
【００５６】
［その他の実施形態］
以上、本発明者によってなされた発明を適用した実施の形態の構成及び動作について説明したが、この実施の形態による本発明の開示の一部をなす論述及び図面により本発明は限定されることはない。例えば、上記実施の形態の携帯通信端末は、ユーザデータ１９へのアクセスを管理情報２１に基づいてユーザ毎に制御したが、アプリケーションプログラム１８の実行権限を管理情報２１に基づいてユーザ毎に制御してもよい。このように、上記実施の形態に基づいて当業者等によりなされる他の実施の形態、実施例及び運用技術等は全て本発明の範疇に含まれることを付け加えておく。
【００５７】
【発明の効果】
本発明に係る携帯通信端末によれば、複数ユーザの個人情報を独立して管理することができる。
【図面の簡単な説明】
【図１】本発明の一実施形態となる携帯通信端末の概観を示す模式図である。
【図２】図１に示す携帯通信端末の内部構成を示すブロック図である。
【図３】図２に示す管理情報のデータ形式を示す図である。
【図４】図２に示すユーザデータのデータ形式を示す図である。
【図５】図１に示す携帯通信端末の起動処理の流れを示すフローチャート図である。
【図６】図１に示す携帯通信端末のアクセス制御処理の流れを示すフローチャート図である。
【符号の説明】
１…携帯通信端末、２…表示部、３…操作入力部、１５…ＣＰＵ、１７…記録部、１８…アプリケーションプログラム、１９…ユーザデータ、２０…ユーザデータ管理プログラム、２１…管理情報、２２…設定データ、２３…ＲＯＭ、２４…ＲＡＭ
【図１】
2004040595.tif 000003
【図２】
2004040595.tif 000004
【図３】
2004040595.tif 000005
【図４】
2004040595.tif 000006
【図５】
2004040595.tif 000007
【図６】
2004040595.tif 000008